(57)【特許請求の範囲】
【請求項１】
圧縮機、室外機用熱交換器、室内機用熱交換器、および膨張弁の各機器が順次配管に接続され、前記各機器間を冷媒が循環する冷凍サイクルが構成された空気調和機において、
前記圧縮機の温度を検出する温度検出手段と、暖房運転時に前記温度検出手段からの検出結果に基づいて、前記室外機用熱交換器に送風を行う送風ファンの回転数を制御する制御手段と、を備えたことを特徴とする空気調和機。
【請求項２】
圧縮機、室外機用熱交換器、リキッドタンク、室内機用熱交換器、および膨張弁の各機器が順次配管に接続され、前記各機器間を冷媒が循環する冷凍サイクルが構成された空気調和機において、
前記圧縮機の温度を検出する温度検出手段と、暖房運転時に前記温度検出手段からの検出結果に基づいて、前記室外機用熱交換器に送風を行う送風ファンの回転数を制御する制御手段と、を備えたことを特徴とする空気調和機。
【請求項３】
圧縮機、室外機用熱交換器、リキッドタンク、室内機用熱交換器、および膨張弁の各機器が順次配管に接続され、前記各機器間を冷媒が循環する冷凍サイクルが構成され、さらに前記リキッドタンクと前記室外機用熱交換器とを接続し液冷媒が流れるメインラインに並列に、前記リキッドタンクの上部と前記室外機用熱交換器とをバイパスさせるバイパスラインが設けられた空気調和機において、
前記圧縮機の温度を検出する温度検出手段と、暖房運転時に前記温度検出手段からの検出結果に基づいて、前記室外機用熱交換器に送風を行う送風ファンの回転数を制御する制御手段と、を備えたことを特徴とする空気調和機。
【請求項４】
請求項１〜３のいずれかに記載の空気調和機において、
前記制御手段は、室内外温度の高い過負荷運転時には前記送風ファンの回転数を下げ、室内外温度の低い低負荷運転時には前記送風ファンの回転数を上げることを特徴とする空気調和機。
【請求項５】
請求項１〜３のいずれかに記載の空気調和機において、
前記冷凍サイクルを流れる冷媒は、ＨＦＣ系冷媒またはＨＣＦＣ系冷媒であることを特徴とする空気調和機。
【請求項６】
圧縮機の温度を検出して、暖房運転時には、前記検出した温度に基づいて、室外機用熱交換器に送風を行う送風ファンの回転数を制御することを特徴とする空気調和機の運転制御方法。
【請求項７】
請求項６に記載の運転制御方法において、
室内外温度の高い過負荷運転時には前記送風ファンの回転数を下げ、室内外温度の低い低負荷運転時には前記送風ファンの回転数を上げることを特徴とする空気調和機の運転制御方法。
【発明の詳細な説明】
【０００１】
【発明の属する技術分野】
本発明は、冷凍機などに利用される空気調和装置、およびその運転制御方法に関するものである。
【０００２】
【従来の技術】
一般に、空気調和機においては、圧縮機、室外機用熱交換器、室内機用熱交換器、および膨張弁の各機器が順次配管に接続され、各機器間を冷媒が循環する冷凍サイクルが構成されている。そして、圧縮機吸入側にアキュムレータを設けた空気調和機が知られている。このような空気調和機においては、アキュムレータ内に液冷媒を保有している場合、アキュムレータ内の冷媒により圧縮機を冷却することができる。
【０００３】
圧縮機吸入側にアキュムレータを設けた空気調和機の一例として、特開昭６１−１１５６９号公報を挙げることができる。この公報の空気調和機は、ホットガスインジェクションによって圧縮機の吐出側からアキュムレータの入口に吐出ガスをバイパスさせ、高圧圧力の上昇を押さえて凝縮温度を低下させることにより、冷凍サイクル温度の適正化を図ったものである。この空気調和機では、蒸発温度が低い場合にも、アキュムレータを介して液冷媒が圧縮機吸入側に戻るのが防止されるため、ホットガスインジェクションにより蒸発器からの液冷媒とホットガスが合流し液冷媒を２相化させ、冷凍サイクル温度の適正化を図ることができるようになっている。
【０００４】
また、アキュムレータの代わりに、凝縮器と蒸発器の間にリキッドタンクを設けた空気調和機も知られている。このような空気調和機の一例として、特開昭６０−５０３４９号公報を挙げることができる。この空気調和機においては、冷凍サイクル内の高圧側冷媒温度を、圧縮機吐出側に設けた吐出ガス温度センサで検出し、検出温度が高い場合は蒸発器入口側に設けた電動膨張弁の開度を開き、急激な負荷変動により吐出ガス温度が急上昇しても圧縮機に過大な負荷を与えることなく、冷凍サイクル温度を適正化を図ることができる。
【０００５】
【発明が解決しようとする課題】
しかしながら、上記従来の技術のうち、圧縮機吸入側にアキュムレータを設けた空気調和機では、アキュムレータ内に液冷媒を保有している場合は、圧縮機がアキュムレータ内の冷媒により冷却されるが、ガス欠のような運転時には圧縮機が冷却されないので、冷凍サイクル温度を適正化することができないという問題がある。
【０００６】
また、近年、冷凍空調装置に用いられている塩素を含む冷媒はオゾン層を破壊することが明らかとなり、環境保護の見地から世界的に塩素を含む冷媒の製造が制限もしくは禁止される方向にある。空気調和機に用いられている冷媒も塩素を含まない冷媒に切換が進められている。つまり代替冷媒として現在３種混合冷媒等冷媒の融点が異なる冷媒を混合させＨＦＣ系の冷媒として利用することが計画されまた実用化されている。
【０００７】
現在、設備用空気調和機では省工事および現地での冷媒封入誤りを防止するため冷媒を出荷時室外機内に封入済みとするいわゆるチャージレスサイクルが主流となっており、この考え方は代替冷媒を使用する新冷媒サイクルでも同じであり、特に代替冷媒では使用する冷凍機にエステル、エーテル油などの鉱物油以外のものを使用するが、本冷凍機は水分を吸湿しやすいことから現地での冷媒封入作業を伴わないチャージレスサイクルが余計に必要となってくる。
【０００８】
従来の冷凍サイクルで室内外温度の高い過負荷条件で暖房運転を行った場合、高圧側の圧力が上昇し、圧縮機入力が増え圧縮機温度が高くなる。しかしながら、アキュムレータ内に余剰冷媒を保有しているために室内側の膨張弁で減圧され、室外熱交換器で蒸発した低圧２相冷媒は室外熱交換器出口で過熱することがない。このため、サイクル温度が急上昇することはなく、サイクル温度を常に適正化することが可能となっている。
【０００９】
このようにＨＣＦＣ系冷媒を使用する従来冷凍サイクルでは、アキュムレータに余剰冷媒を溜めることにより、冷凍サイクル温度を適正化することはさほど困難なことではない。
【００１０】
一方、ＨＦＣ系冷媒を使用して余剰冷媒制御機能をアキュムレータにもたせようとした場合、Ｒ２２では単一冷媒であるのに対し、Ｒ４０７Ｃに代表される混合冷媒では表１に示すような冷媒の組成比となり、冷媒はその種類により密度、潜熱、比熱、飽和温度、飽和圧力、冷凍機油との親和性や化学反応性が異なるため、アキュムレータに液冷媒を溜めようとした場合、ＨＦＣ３２が溶融せず、サイクル中のＨＦＣ３２の比率が高くなりサイクル圧力が上がり、性能はダウンするのに対し圧縮機の入力は増えエネルギ効率が低下するという問題が発生する。
【００１１】
【表１】
0003572410.tif 000002
【００１２】
また、代替冷媒を低圧側で余剰冷媒として保有する場合、ＨＦＣ３２などの冷媒は融点が低いため、余剰冷媒として保有されなくガス化され冷凍サイクル中に充満される。この場合、冷凍サイクル内の圧力が上昇するまたは能力が低下するなどの問題が発生し、代替冷媒を低圧側のアキュムレータなどに保有することはできなくなる。このため代替冷媒を使用する場合、余剰冷媒を高圧側のリキッドタンクに保有することになる。
【００１３】
この場合、暖房運転時室内側凝縮器から電子膨張弁を通りリキッドタンクで余剰冷媒が保有され、リキッドタンクから流出する２相冷媒が蒸発器に戻る冷凍サイクルでは、蒸発器を通過する冷媒は必ず過熱されて圧縮機吸入側に戻るため、室内外温度の高い過負荷運転では圧縮機の吐出ガス温度が高くなりやすく、冷凍サイクル温度が急上昇する。リキッドタンクから液冷媒を戻すことができれば、電子膨張弁を開いて液冷媒を戻せば冷凍サイクル温度の適正化をはかることは可能だが、いわゆるチャージレスサイクルでは余剰冷媒がリキッドタンクに溜まりやすい仕様になっており、電子膨張弁を開いても液冷媒がリキッドタンクに溜まるだけで、冷凍サイクル温度が適性化されないという問題がある。
【００１４】
本発明の目的は、冷凍サイクル温度の適性化を図ることのできる空気調和機、および空気調和機の運転制御方法を提供することにある。
【００１５】
【課題を解決するための手段】
上記目的を達成するために、本発明は、圧縮機、室外機用熱交換器、室内機用熱交換器、および膨張弁の各機器が順次配管に接続され、前記各機器間を冷媒が循環する冷凍サイクルが構成された空気調和機において、前記圧縮機の温度を検出する温度検出手段と、暖房運転時に前記温度検出手段からの検出結果に基づいて、前記室外機用熱交換器に送風を行う送風ファンの回転数を制御する制御手段とを備えたことを特徴としている。
【００１６】
また、本発明は、圧縮機、室外機用熱交換器、リキッドタンク、室内機用熱交換器、および膨張弁の各機器が順次配管に接続され、前記各機器間を冷媒が循環する冷凍サイクルが構成された空気調和機において、前記圧縮機の温度を検出する温度検出手段と、暖房運転時に前記温度検出手段からの検出結果に基づいて、前記室外機用熱交換器に送風を行う送風ファンの回転数を制御する制御手段とを備えたことを特徴としている。
【００１７】
上記各構成によれば、暖房運転時に、制御手段は温度検出手段からの検出結果に基づいて送風ファンの回転数を制御する。室内外温度の高い過負荷運転時には室外熱交換器出口での過熱度が高くなり、圧縮機温度が上昇する。そこで、圧縮機温度上昇を防止するために送風ファンの回転数を下げる制御を行う。これにより、室外熱交換器の熱交換容量を下げ、室外熱交換器出口での過熱度を小さくして圧縮機温度を下げることができる。逆に室内外温度の低い低負荷運転時には、圧縮機温度の下降を防止するために送風ファンの回転数を上げる制御を行う。これにより、室外熱交換器の熱交換容量を上げ、室外熱交換器出口での過熱度を大きくして圧縮機温度を上げることができる。このように室外機用熱交換器に送風を行う送風ファンの回転数を制御することにより、冷凍サイクル温度の適正化を図ることができる。
【００１８】
さらに、本発明は、圧縮機、室外機用熱交換器、リキッドタンク、室内機用熱交換器、および膨張弁の各機器が順次配管に接続され、前記各機器間を冷媒が循環する冷凍サイクルが構成され、さらに前記リキッドタンクと前記室外機用熱交換器とを接続し液冷媒が流れるメインラインに並列に、前記リキッドタンクの上部と前記室外機用熱交換器とをバイパスさせるバイパスラインが設けられた空気調和機において、前記圧縮機の温度を検出する温度検出手段と、暖房運転時に前記温度検出手段からの検出結果に基づいて、前記室外機用熱交換器に送風を行う送風ファンの回転数を制御する制御手段とを備えたことを特徴としている。
【００１９】
上記構成によれば、室内外温度の高い過負荷運転時には、室内側熱交換器に液冷媒が溜まらないように、リキッドタンク上部のガス冷媒をバイパスラインに流すようにし、これによって、液冷媒をリキッドタンク側に溜めてサイクル圧力の上昇防止を図る。ところが、このとき、冷凍サイクルを循環する有効冷媒量が減少し、室外熱交換器出口での過熱度が高くなって圧縮機温度が上昇する。そこで、圧縮機の温度上昇を防止するために送風ファンの回転数を下げ、逆に室内外温度の低い低負荷運転時には圧縮機温度の下降を防止するために送風ファンの回転数を上げる制御を行う。
【００２０】
また、本発明では、前記冷凍サイクルを流れる冷媒は、ＨＦＣ系冷媒またはＨＣＦＣ系冷媒であることを特徴としている。
【００２１】
また、本発明の空気調和機の運転制御方法は、圧縮機の温度を検出して、暖房運転時には、前記検出した温度に基づいて、室外機用熱交換器に送風を行う送風ファンの回転数を制御することである。
【００２２】
具体的な制御方法としては、室内外温度の高い過負荷運転時には前記送風ファンの回転数を下げ、室内外温度の低い低負荷運転時には前記送風ファンの回転数を上げるようにする。
【００２３】
【発明の実施の形態】
以下、本発明の実施の形態を図面に従って説明する。
本発明に係る空気調和機は、室内機と室外機を組み合わせたセパレ−ト型空気調和機である。室内機と室外機にて冷凍サイクルを構成し、コントロ−ル装置からの信号により、冷房運転および暖房運転を行うことができる。はじめに室内機と室外機の構成を述べる。
【００２４】
図１および図２は室内機の内部構成を示しており、図１は正面図、図２は図１のＡ−Ａ線に沿った断面図である。図に示すように、室内機は室内機用熱交換器１、送風用電動機２、および送風用ファン３を備えている。また、運転／停止、冷房／暖房、保護装置等を制御するための室内制御装置４と、冷媒流量制御用の膨張弁５が設けられている。
【００２５】
図３および図４は室外機の内部構成を示しており、図３は正面図、図４は図３のＢ１−Ｂ２−Ｂ３−Ｂ４線に沿った矢視図である。図に示すように、室外機は圧縮機６、室外機用熱交換器７、送風用電動機８、送風用ファン９、冷房・暖房切替用の四方弁１０、および余剰冷媒保有用のリキッドタンク１１を備えている。また、室内機と同様、冷房／暖房、圧縮機のＯＮ／ＯＦＦ、保護装置等を制御するための室外制御装置１２が設けられている。
【００２６】
また、図５はコントロ−ル装置を示している。コントロ−ル装置１３は室内機に接続され、運転・停止または冷房・暖房または温度設定の信号を出力することにより、任意の運転条件にて空調することができる。このコントロ−ル装置１３には、液晶表示部１４と、運転／停止、冷房／暖房、温度調節等の各種の操作ボタン１５が取り付けられている。
【００２７】
次に、本発明の空気調和装置について説明する。図６は本発明の空気調和装置の冷凍サイクルの系統図を示している。図に示すように、本発明の空気調和装置の冷凍サイクルは、室内機用熱交換器１、膨張弁（室内）５、圧縮機６、室外機用熱交換器７、四方弁１０、およびリキッドタンク１１等を備えている。そして、室内機用熱交換器１、膨張弁５、リキッドタンク１１、および室外機用熱交換器７は液管用接続管１７に順次接続され、室外機用熱交換器７、四方弁１０、圧縮機６、四方弁１０、および室内機用熱交換器１はガス管用接続管１８に順次接続され、冷凍サイクルが形成されている。
【００２８】
また、リキッドタンク１１と室外機用熱交換器７間の液管用接続管（メインライン）１７に並列に、リキッドタンク１１の上部と室外機用熱交換器７の入口側とをバイパスさせるバイパスライン２０が設けられている。このバイパスライン２０の途中には電磁弁２１が取り付けられている。
【００２９】
また、圧縮機６には圧縮機の温度を検出する圧縮機サーミスタ（温度検出手段）２２が取り付けられ、圧縮機サーミスタ２２からの検出信号は室外制御装置（制御手段）１２に入力される。室外制御装置１２は、圧縮機サーミスタ２２からの検出信号に基づいて、室外機側ファン９の送風用電動機８に対して回転数制御の信号を出力する。なお、図中、２４はオリフィス、２５は逆止弁、２６は制御用圧力スイッチ、２７は圧力遮断用圧力スイッチである。
【００３０】
上記構成の冷凍サイクル運転時の動作について説明する。冷房運転時には、圧縮機６から吐出された高温高圧のガス冷媒は四方弁１０を経由し、室外機用熱交換器７に送られ、ここで送風用ファン（室外）９により送風される空気によって冷却され、ガス冷媒は凝縮液化して液冷媒となる。その液冷媒は液管用接続管１７を通ってリキッドタンク１１に送られ、リキッドタンク１１で保有される。そして、適正量の液冷媒が液管用接続管１７を通って膨張弁５に至り、ここで減圧されてから、室内機用熱交換器１に送られる。室内機用熱交換器１において、液冷媒は送風用ファン３で送風される空気から熱を吸熱して蒸発することにより、低温低圧のガス冷媒となる。この低温低圧のガス冷媒はガス管用接続管１８を介して室外機側に戻り、四方弁１０を通過した後、圧縮機６に戻って再度同じサイクルを繰り返す。
【００３１】
暖房運転時には、圧縮機６から吐出された高温高圧のガス冷媒は四方弁１０（このとき、四方弁１０は流路が切り替えられて破線で示す流路をガス冷媒は流れる）を経由し、ガス管用接続管１８を通って室内機側に入り、室内機用熱交換器１に送られる。ここで、ガス冷媒は送風用ファン３から送風される空気で冷却され、凝縮液化して液冷媒となる。その液冷媒は膨張弁５で減圧されてから、液管用接続管１７を通って再度室外機側に戻り、リキッドタンク１１に送られ、リキッドタンク１１で保有される。リキッドタンク１１に溜まった液冷媒は、流出管１１Ａの上部のガス抜き穴（図示省略）からの２相冷媒と混ざり、さらに液管用接続管１７を通って室外機用熱交換器７に入る。
【００３２】
また、電磁弁２１通電時にはバイパスライン２０が開き、リキッドタンク１１上部から２相冷媒がバイパスされ、その後、メインラインである液管用接続管１７からの冷媒と合流して室外機用熱交換器７に入る。この場合、室外機用熱交換器７に入る冷媒の乾き度は高くなるため、液冷媒が多量にリキッドタンク１１に溜まり、サイクル圧力低下させることができるとともにサイクル温度を上昇させることができる。室外機用熱交換器７において、液冷媒は送風用ファン９で送風される空気から吸熱して蒸発し、その後、低温低圧のガス冷媒となる。そして、そのガス冷媒は、四方弁１０を介して圧縮機６に戻って再度同じサイクルを繰り返す。
【００３３】
なお、本実施の形態では、圧縮機６の吸入側にはバッファ用のアキュムレータがないため、圧縮機６に液冷媒が戻らないように、室外機用熱交換器７の出口で冷媒が少し過熱するようにする。そのためには、膨張弁５の絞り開度の調整とリキッドタンク１１出口でのガス冷媒と２相冷媒の混入による乾き度の調整を行うことが必要となる。
【００３４】
図７は上記空気調和機の制御システムの概要を示している。リモコン３１から運転／停止、冷房／暖房設定、温度設定、風量設定の信号が室内制御装置４に入力される。また室内機には、吸込サーミスタ３２、吹出サーミスタ３３、ガス配管サーミスタ３４、液配管サーミスタ３５等の温度センサが接続され、各温度センサでの検出信号は室内制御装置４に入力される。さらに室外機には、前述した圧縮機サ−ミスタ２２以外に、外気温を検出する外気サーミスタ３６、配管サーミスタ３７等の温度センサが接続され、各温度センサでの検出信号は室外制御装置１２に入力される。
【００３５】
なお、吸込サーミスタ３２および吹出サーミスタ３３は室内機の空気吸込口および吹出口にそれぞれ取り付けられ、さらにガス配管サーミスタ３４および液配管サーミスタ３５はガス管用接続管１８および液管用接続管１７にそれぞれ取り付けられている。また、配管サーミスタ３７は液管用接続管１７またはガス管用接続管１８に取り付けられている。
【００３６】
リモコン３１からの冷房暖房設定信号より四方弁１０の通路切換弁の動作変更を行う。リモコン３１からの風量設定により、送風用ファン（室内）３の風量設定を変更する。室外機の外気サーミスタ３６からの信号と圧縮機サーミスタ２２からの信号により送風用ファン（室外）９の風量を変更する。圧縮機サーミスタ２２からの信号により圧縮機周波数、および室外機に設けられた膨張弁３９の開度変更を行う。また室内機のガス配管サーミスタ３４および液配管サーミスタ３５からの信号により、膨張弁５の開度変更を行う。
【００３７】
図８は制御配線図を示している。室外制御装置１２内には、外部サーミスタからの温度信号、室内機からの制御データを検出する検出部１２Ａ、冷凍サイクル中のアクチュエータを制御する制御アルゴリズムおよび制御データを記憶する記憶部１２Ｂ、および検出データと制御データより制御値を決定する演算部１２Ｃ等が設けられている。また、室内機側の室内制御装置４内には、圧縮機サ−ミスタ２２、外気サーミスタ３６、配管サーミスタ３７等からの温度信号と、リモコン３１からの運転／停止、冷房／暖房設定、温度設定、風量設定の信号を検出する検出部４Ａ、および室内機の形式等製品の識別が可能となる識別用データを記憶する記憶部４Ｂが設けられている。
【００３８】
室外制御装置１２は、伝送線４１を介して室内制御装置４内の記憶部４Ｂから製品識別信号を検出部１２Ａに取り込み、演算部１２Ｃにより記憶部１２Ｂ内の制御アルゴリズムとして前記製品識別信号から膨張弁５の容量を認識し、膨張弁５の開度を決定する。また室外制御装置１２は、圧縮機サーミスタ２２からの温度信号より送風用ファン（室外）９の送風用電動機８の回転数を決定し、さらには制御用圧力スイッチ２６（図６参照）の作動により送風用電動機８の回転数を最低回転数にまで下げた後、配管サーミスタ３７および圧縮機サーミスタ２２からの温度信号により再度送風用電動機８の回転数を決定し、圧力と温度を制御するアルゴリズムを決定して、温度検出部で検出する温度を常に適正化すよう制御する。
【００３９】
図６に示した冷凍サイクルにおいては、室内外温度の高い暖房過負荷運転時高圧側圧力上昇に伴い制御用圧力スイッチ２６が作動すると、高圧圧力を低下させるため送風用電動機８の回転数を最低回転数まで低下させ、室外熱交換器７の蒸発圧力を下げることにより高圧圧力の上昇防止を図ることができる。この場合、配管長が長いと冷凍サイクル中の有効冷媒量が減少し、冷凍サイクル温度が高くなるが、圧縮機サーミスタ２２での温度信号から送風用電動機８の回転数を低い状態で維持させることにより、室外機用熱交換器７の出口を過熱させないようにしてサイクル温度の上昇を防止することができる。
【００４０】
また制御用圧力スイッチ２６の作動と共に電磁弁２１を通電させバイパスライン２０を開くと、リキッドタンク１１に液冷媒が多量に溜まり、冷凍サイクル中の有効冷媒量を減らすことができ、サイクルの圧力上昇を防止することができる。このとき、室内外の温度の高い過負荷運転の場合、室外熱交換器７出口の乾き度が大きくなり、圧縮機６の温度が急上昇するという問題が発生するが、圧縮機温度が高い場合は送風用電動機８の回転数を下げて、室外機用熱交換器７の熱交換能力を下げ冷媒を過熱させないようにすることによって、圧縮機６の温度を下げることが可能となる。
【００４１】
本実施の形態によれば、以下の効果が期待できる。
（１）まず、製造者のメリットとしては、室内機１台と室外機１台を組み合わせたペアタイプの空調機と、複数台の室内機と１台の室外機を組み合わせたマルチタイプの空調機とで室内機を共用化できるように、室内機に膨張弁を配置することが必要となるが、本実施の形態では、室内機に膨張弁を配したペア型空調機においてチャージレスサイクルを実現することが可能となる。これにより、本来マルチ機の要求から膨張弁を配した室内機をペア機にも適用することができ、製造時の生産管理が容易となる。
（２）消費者のメリットとしては、新冷媒機においてペアタイプ室内機とマルチタイプ室内機を共用化することにより、顧客への製品納期を短縮することができる。特に新冷媒機が生産量の少ない遷移期において特に効果がある。
（３）工事業者のメリットとしては、新冷媒機においてペアタイプ室内機とマルチタイプ室内機を共用化することにより、ペアタイプとマルチタイプ空調機が納められる工事物件において室内機の馬力別管理は必要なものの、管理工数を低減することができる。特にマルチ機の用に室内機の数が多く、また室外機との距離が長い場合、特に確認作業だけでかなりの労力を要する。このため、本実施の形態により室内機の確認作業が減り工事時間の短縮を図ることができる。
（４）その他のメリットとしては、マルチタイプ室外機と室内機を共用化するペアタイプ空調機において、暖房運転時室内外温度の高い空気条件でも安定した冷凍サイクル運転を可能とすることができ、製品の運転範囲を拡大することが可能となる。
【００４２】
【発明の効果】
以上説明したように、本発明によれば、電子膨張弁を室内側に配置し新冷媒にてチャージレスサイクルを実現するよう、リキッドタンクに余剰冷媒を保有させるタイプの冷凍サイクルにおいて、圧縮機温度を検出し、その検出結果に基づいて室外機用熱交換器に送風を行う送風ファンの回転数を制御することにより、冷凍サイクル温度の安定化を図ることができる。
【図面の簡単な説明】
【図１】室内機内部の正面図である。
【図２】図１のＡ−Ａ線に沿った断面図である。
【図３】室外機内部の正面図である。
【図４】図３のＢ１−Ｂ２−Ｂ３−Ｂ４線に沿った矢視図である。
【図５】コントロ−ル装置の正面図である。
【図６】本発明に係る空気調和装置の冷凍サイクル系統図である。
【図７】本発明に係る空気調和機の制御システム概要図である。
【図８】本発明に係る空気調和機の制御配線図である。
【符号の説明】
１  室内機用熱交換器
２  送風用電動機（室内）
３  送風用ファン（室内）
４  室内制御装置
５  膨張弁（室内）
６  圧縮機
７  室外機用熱交換器
８  送風用電動機（室外）
９  送風用ファン（室外）
１０  四方弁
１１  リキッドタンク
１２  室外制御装置
１３  コントロ−ル装置
１４  液晶表示部
１５  操作ボタン
１７  液管用接続管
１８  ガス管用接続管
２０  バイパスライン
２１  電磁弁
２２  圧縮機サ−ミスタ
２４  オリフイス
２５  逆止弁
２６  制御用圧力スイッチ
２７  圧力遮断用圧力スイッチ
３１  リモコン
３２  吸込サ−ミスタ
３３  吹出サ−ミスタ
３４  ガス配管サ−ミスタ
３５  液配管サ−ミスタ
３６  外気サ−ミスタ
３７  配管サ−ミスタ
【図１】
0003572410.tif 000003
【図２】
0003572410.tif 000004
【図３】
0003572410.tif 000005
【図４】
0003572410.tif 000006
【図５】
0003572410.tif 000007
【図６】
0003572410.tif 000008
【図７】
0003572410.tif 000009
【図８】
0003572410.tif 000010